(57)【特許請求の範囲】
【請求項１】
火災受信機や中継器などの受信部に複数の火災監視用の端末もしくは複数の火災監視用の端末と制御用の端末とが接続されてなる火災報知設備において、
前記複数の端末には端末の種類によって異なるＩＤ情報が与えられ、
前記受信部には、
前記接続される複数の端末のＩＤ情報を記憶する電気的に書き換え自在な不揮発性記憶手段と、
前記複数の端末からＩＤ情報を収集する収集手段と、
指示が与えられたときに前記収集手段によって収集した前記複数の端末のＩＤ情報を前記不揮発性記憶手段に書き換え記憶させる書き換え手段と、を設け、
前記書き換え手段は前記収集手段によって収集したＩＤ情報を前記不揮発性記憶手段に書き換え記憶させたときに、前記不揮発性記憶手段に非収集モードを記憶させるモード設定手段を有し、
さらに前記受信部には、電源が投入された時もしくはリセットされた時に前記不揮発性記憶手段に非収集モードが設定されているか否かを判別し、非収集モードが設定されているときは前記不揮発性記憶手段に記憶されているＩＤ情報に基づいて火災監視を、また、非収集モードが設定されていないときには前記収集手段によって前記複数の端末からＩＤ情報の収集を行い、この収集したＩＤ情報に基づいて火災監視を行うモード判別手段を設けた
ことを特徴とする火災報知設備。
【請求項２】
火災受信機や中継器などの受信部に複数の火災監視用の端末もしくは複数の火災監視用の端末と制御用の端末とが接続されてなる火災報知設備において、
前記複数の端末には端末の種類によって異なるＩＤ情報が与えられ、
前記受信部には、
前記接続される複数の端末のＩＤ情報を記憶する電気的に書き換え自在な不揮発性記憶手段と、
前記複数の端末からＩＤ情報を収集する収集手段と、
前記不揮発性記憶手段の記憶内容に基づいて火災監視を行うかまたは前記収集手段によって前記複数の端末からＩＤ情報を収集しこの収集手段によって収集したＩＤ情報に基づいて火災監視を行うかを指示する監視指示手段と、
とを設けたことを特徴とする火災報知設備。
【請求項３】
前記受信部は、前記監視指示手段によって前記不揮発性記憶手段に基づいて火災監視を行うように指示されているときに、前記受信部へ電源が投入された時もしくはリセットされた時に前記不揮発性記憶手段の記憶内容をチェックし、記憶内容に異常があるときには前記収集手段によって前記複数の端末からＩＤ情報を収集し、この収集手段によって収集したＩＤ情報に基づいて火災監視を行うことを特徴とする請求項３記載の火災報知設備。
【発明の詳細な説明】
【０００１】
【発明の属する技術分野】
この発明は火災報知設備に関するものである。
【０００２】
【従来の技術】
従来の火災報知設備では、火災感知器あるいは火災感知器が接続された中継器などの火災監視用端末や防排煙機器などの被制御機器を制御する制御用端末を火災受信機や中継器などの受信部に接続している。
【０００３】
そして、受信部、例えば火災受信機は、火災監視用端末から火災信号あるいは火災現象の物理量信号などの火災情報を例えばポーリングなどによって受信し、受信した火災情報に基づき火災判断を行い、火災判断結果に基づき火災発生地区に関連する防排煙機器などの制御を行っている。
【０００４】
【発明が解決しようとする課題】
ところで、このような火災報知設備では、火災受信機が火災監視用端末から受信した火災情報に基づき火災判断を行うのであるが、火災監視用端末としては、火災現象の物理量信号を送信するいわゆるアナログ式の火災感知器、検出した火災現象が火災と判別される状態か否か自身で判別し火災状態の時は火災信号を送信するいわゆるオンオフ式火災感知器、あるいはオンオフ式の火災感知器が複数接続されいずれかの感知器が火災信号を送信したときに火災信号を送信する中継器などがある。
【０００５】
そしてアナログ式火災感知器としては、例えば温度の物理量信号を送信する熱アナログ式火災感知器、煙の物理量信号を送信する煙アナログ式火災感知器、炎の光（輻射光）の物理量を送信する炎アナログ式火災感知器、ガスの物理量を送信するガスアナログ式火災感知器などがある。また、オンオフ式火災感知器としては、定温式、差動式、定温差動式などの熱火災感知器、光電式やイオン化式の煙火災感知器、赤外式や紫外式の炎火災感知器、ガス火災感知器などがある。さらに、被制御機器としても、制御時間、制御方法が機器によって異なる。
【０００６】
従って、火災監視用端末が接続される火災受信機や中継器などの受信部では、アナログ式火災感知器からの火災情報を処理する場合には、アナログ式火災感知器の種類によって受信する火災情報の種類が異なるため、それぞれの情報にあった火災判断処理が必要となる。この点は、オンオフ式火災感知器や中継器からの火災信号を火災判断処理する場合も同様であり、被制御機器の制御を行う場合も同様である。
【０００７】
このため、従来の火災報知設備では火災受信機や中継器などの受信部に、接続される複数の火災監視用端末や制御用端末のそれぞれの種別情報であるＩＤ情報を記憶したＥＰＲＯＭ等のいわゆる端末マップ用の記憶手段を設け、この記憶手段に記憶されたＩＤ情報を参照しながら火災監視処理や制御処理を行っている。
【０００８】
そして、この記憶手段は受信部の工場出荷時に作成されて受信部に組み込まれて出荷されるため、例えば火災報知設備の設置後に建物の間取り変更や用途変更により火災監視用端末や制御用端末に変更があると、変更内容を組み込んだ新しいＥＰＲＯＭを工場で作成するかもしくは設置場所に専門家がＲＯＭ書込器を持ち込んで作成してＲＯＭ交換を行っていた。このため、交換が面倒であるとともに、設定ミスも発生する虞があった。
【０００９】
【課題を解決するための手段】
この発明は、上記の点に鑑みなされたもので、請求項１の発明は、火災受信機や中継器などの受信部に複数の火災監視用の端末もしくは複数の火災監視用の端末と制御用の端末とが接続されてなる火災報知設備において；前記複数の端末には端末の種類によって異なるＩＤ情報が与えられ；前記受信部には、前記接続される複数の端末のＩＤ情報を記憶する電気的に書き換え自在な不揮発性記憶手段と、前記複数の端末からＩＤ情報を収集する収集手段と、指示が与えられたときに前記収集手段によって収集した前記複数の端末のＩＤ情報を前記不揮発性記憶手段に書き換え記憶させる書き換え手段と、を設け、前記書き換え手段は前記収集手段によって収集したＩＤ情報を前記不揮発性記憶手段に書き換え記憶させたときに、前記不揮発性記憶手段に非収集モードを記憶させるモード設定手段を有し、さらに前記受信部には、電源が投入された時もしくはリセットされた時に前記不揮発性記憶手段に非収集モードが設定されているか否かを判別し、非収集モードが設定されているときは前記不揮発性記憶手段に記憶されているＩＤ情報に基づいて火災監視を、また、非収集モードが設定されていないときには前記収集手段によって前記複数の端末からＩＤ情報の収集を行い、この収集したＩＤ情報に基づいて火災監視を行うモード判別手段を設けたことを特徴とするものである。
【００１１】
また、請求項２の発明は、火災受信機や中継器などの受信部に複数の火災監視用の端末もしくは複数の火災監視用の端末と制御用の端末とが接続されてなる火災報知設備において；前記複数の端末には端末の種類によって異なるＩＤ情報が与えられ；前記受信部には、前記接続される複数の端末のＩＤ情報を記憶する電気的に書き換え自在な不揮発性記憶手段と、前記複数の端末からＩＤ情報を収集する収集手段と、前記不揮発性記憶手段の記憶内容に基づいて火災監視を行うかまたは前記収集手段によって前記複数の端末からＩＤ情報を収集しこの収集手段によって収集したＩＤ情報に基づいて火災監視を行うかを指示する監視指示手段と、とを設けたことを特徴とするものである。
【００１２】
また、請求項３の発明は、請求項２に加えて、前記受信部は、前記監視指示手段によって前記不揮発性記憶手段に基づいて火災監視を行うように指示されているときに、前記受信部へ電源が投入された時もしくはリセットされた時に前記不揮発性記憶手段の記憶内容をチェックし、記憶内容に異常があるときには前記収集手段によって前記複数の端末からＩＤ情報を収集し、この収集手段によって収集したＩＤ情報に基づいて火災監視を行うことを特徴とするものである。
【００１５】
【発明の実施の形態】
以下、本発明の実施形態を図面に基づいて説明する。
【００１６】
図１は本発明の実施形態の１実施例のブロック図、図２、図３は動作を説明するフローチャートである。
【００１７】
図１において、ＲＥは火災受信機である。ＳＥ１、ＳＥ２、ＴＲ３・・・・は受信機ＲＥに電源兼信号線Ｌを介して接続された火災監視用端末で、ＳＥ１、ＳＥ２は火災時に生じる熱、煙、炎、ガスあるいは臭いなどの火災現象を検出してその物理量を送信するいわゆるアナログ式の火災感知器、ＴＲ３は中継器で、この中継器ＴＲ３には火災と判断される火災現象を検出したときに火災信号を出力するいわゆるオンオフ式の火災感知器ＤＥが接続されている。
【００１８】
アナログ式火災感知器ＳＥ１、ＳＥ２・・・・、中継器ＴＲ３・・・・のそれぞれには、図示を省略しているが、それぞれ自己アドレスを設定するためのアドレス設定器（例えばディップスイッチ、ロータリ式ディップスイッチ、ＥＥＰＲＯＭ等）、さらには必要に応じ自己の属するグループアドレスを設定するための同様なグループアドレス設定器が設けられている。また自己の機器種別を示すＩＤ情報（種別情報）を設定するアドレス設定器と同様なＩＤ設定器が設けられている。
【００１９】
なお、受信機ＲＥには火災監視用端末以外に防排煙機器等を制御するための制御用中継器を接続できるが、本実施例では図示・説明を省略している。
【００２０】
火災受信機ＲＥにおいて、ＭＰＵはマイクロコンピュータ、ＲＯＭ１は図２、図３に動作フローで示すプログラムを記憶する例えばＥＰＲＯＭなどのＲＯＭである。ＲＯＭ２は本実施例の場合は、火災監視用端末ＳＥ１、ＳＥ２、ＴＲ３・・・・のアドレス番号と、アナログ式熱式火災感知器、アナログ式光電式火災感知器、アナログ式ガス式火災感知器、火災監視用中継器、制御用中継器などのＩＤ、並びに電源投入時やシステムリセット時の火災受信機の立ち上げ方法を記憶するＲＯＭで、ＥＥＰＲＯＭなどの電気的に書き換え可能なＲＯＭ（不揮発性記憶手段）である。
【００２１】
ＲＡＭ１は作業用のＲＡＭである。ＲＡＭ２は火災監視や制御などのために火災受信機ＲＥに接続されている火災監視用や制御用の複数の端末のアドレスとＩＤ、本実施例では端末ＳＥ１、ＳＥ２、ＴＲ３・・・・のアドレスとＩＤを記憶する運用用のＲＡＭである。
【００２２】
ＤＰは、図示を省略した火災時に火災の発生した火災警戒地区を表示する地区表示灯、ＬＣＤ、または計数表示器、蓄積中、試験中、音響停止中、スイッチ注意等を表示する各種表示灯等が設けられた表示部、ＯＰは図示を省略した試験スイッチ、音響停止スイッチ、制御スイッチ、火災復旧スイッチ、電源スイッチ、システムリセットスイッチ等の各種スイッチや保存スイッチが設けられた操作部である。ＴＲＸは、並直列変換回路、送信回路、受信回路、直並列変換回路等で構成される送受信回路である。なお、電源スイッチ、システムリッセットスイッチ、保存スイッチ等は受信機ＲＥの内部に設けるようにしてもよい。また、ＩＦ１、ＩＦ２、ＩＦ３はＭＰＵとＤＰ、ＯＰ、ＴＲＸを接続するインターフェースである。
【００２３】
次に本実施例の動作を図２、図３を参照して説明する。
【００２４】
火災受信機ＲＥの電源スイッチをオンもしくは運転中にシステムリセットスイッチをオンすると、ＭＰＵは、まずＲＡＭ１、ＲＡＭ２のイニシャライズやＲＯＭ２の記憶内容が正常か否かのチェック等の初期設定を行う（Ｓ１）。なお、ＲＯＭ２のチェックは、アドレス、ＩＤ等の端末データやシステム立ち上げ指定コードなどの記憶データの例えば加算値（サムチェックコード）をＲＯＭ２の記憶データの記憶領域とは別の領域に記憶しておき、記憶データを加算してその加算値がサムチェックコードと一致するか否かで行い、一致しなかったときはＲＯＭ２の記憶内容をクリアする。
【００２５】
このようにして初期設定が終了すると、ＭＰＵはＲＯＭ２にシステム立ち上げ方法として非収集立上が記憶されているかチェックする（Ｓ２）。ＲＯＭ２に非収集立ち上げが記憶されていると、ＲＯＭ２の端末のアドレスとＩＤを読み出しＲＡＭ２に格納する（Ｓ３）。
【００２６】
ところで、Ｓ２で非収集立上が記憶されていないときには（Ｓ２のＮ）、端末のアドレスｋを１にセットし（Ｓ４）、ｋ番端末、この場合は１番端末をポーリングによって呼び出すとともにＩＤ返送命令を送出し、呼び出したｋ番端末からＩＤを収集する（Ｓ５）。ｋ番端末から収集したＩＤはＲＡＭ２のｋ番を示すｋ番地に格納する（Ｓ６）。そしてこのＩＤ収集をポーリングにより最終アドレスの端末まで繰り返す（Ｓ５〜Ｓ８）。
【００２７】
このようにして、端末である火災感知器ＳＥ１、ＳＥ２・・や中継器ＴＲ３・・のＲＯＭ２に記憶されているアドレスとＩＤ情報のＲＡＭ２への格納（Ｓ３）、もしくは各端末から収集したアドレスとＩＤ情報のＲＡＭ２への格納（Ｓ６）が終了すると、ＲＡＭ２に記憶された各端末のアドレスとＩＤ情報に基づいて火災監視の運用が開始される。
【００２８】
まずｋを１にセット（Ｓ１１）した後、ｋ番端末すなわちこの場合は１番端末から火災情報を収集するために＃１のポーリングの呼出アドレスと火災情報返送命令を送出し、＃１でアドレス指定された火災感知器ＳＥ１は火災情報として火災現象の物理量信号、例えば煙の物理量信号を受信機ＲＥに送信し、受信機ＲＥは受信した火災情報をＲＡＭ１に格納する（Ｓ１２）。
【００２９】
次にＭＰＵはＲＡＭ２のアドレスｋのＩＤを読み出し、火災判断処理を行う。この場合、１番端末のＩＤがアナログ式の光電式火災感知器であると、煙の物理量信号が火災レベルであるか否か判別し、火災レベル以上であればＲＡＭ１に設定された１番端末用の蓄積用タイマを１カウントアップし、このタイマが所定の蓄積時間に達したか否か判別する。そして蓄積時間が所定の蓄積時間に達したら火災と判断し（Ｓ１３のＹ）、その火災警戒地区を表示部ＤＰに表示したり、図示を省略した受信機ＲＥ内に設けられた主音響装置や火災の発生した階とその直上階に設けられた地区音響装置を鳴動させる等の火災時処理を行う（Ｓ１４）。また、防排煙機機等の被制御機器が接続されている場合には火災の発生した火災警戒地区に関連した被制御機器を制御用中継器を介して制御する。この制御用中継器が電源兼信号線に接続されている場合には、受信機ＲＥからそのアドレス信号と制御命令を送出することにより行われる。
【００３０】
この火災時処理（Ｓ１４）が行われたか、あるいは、Ｓ１３で火災でないと判断されたときは、すなわち１番端末の場合は物理量信号が火災レベルに達していないか、もしくは火災レベルに達していても蓄積タイマが所定の蓄積時間に達していないときは、Ｓ１５に進み、ｋが最終番号Ｋに達しているか否か判断し（Ｓ１５）、最終番号Ｋでなければ（Ｓ１５のＮ）、ｋを１インクリメントして（Ｓ１６）次の番号の端末にポーリングを行って火災情報を収集、火災判断を行う（Ｓ１２、Ｓ１３、Ｓ１４）。
【００３１】
次にＭＰＵは、操作部ＯＰの保存スイッチが操作されたか否か、すなわち、火災監視の運用に用いられているＲＡＭ２のデータをＲＯＭ２に格納保存する必要があるか否かを判断する（Ｓ２１）。保存スイッチが操作されていると（Ｓ２１のＹ）、ＲＡＭ２からアドレスデータとＩＤデータを読み出してＲＯＭ２の所定データ記憶領域に書き込み格納するとともに、これらデータの加算値を求めてＲＯＭ２の加算値記憶領域に格納する（Ｓ２２）。これにより、火災監視用及び又は制御用等の複数の端末からポーリングによって収集したアドレスやＩＤ情報を保存することができる。
【００３２】
また、ＭＰＵは、ＲＡＭ２のアドレスやＩＤ等のデータをＲＯＭ２に保存すると、ＲＯＭ２の立ち上げモード記憶領域に非収集立ち上げモードを例えばフラグビットを立てるなどして記憶させる。これにより、次回の電源投入時、もしくはシステムリセット時には、ＲＯＭ２に保存記憶されているアドレスデータやＩＤ情報データにより立ち上げが自動的に行われる。
【００３３】
図４、図５は本発明の他の実施形態の実施例で、上記実施例と異なるのは、火災受信機の電源投入時やシステムリセット時に、火災受信機に接続されている複数の火災監視用端末、さらには制御用端末からアドレス及び又はＩＤ情報を収集する収集モードか、ＥＥＰＲＯＭ等のメモリに記憶されている複数の火災監視用端末、さらには制御用端末のアドレス及び又はＩＤ情報を利用する非収集モードかを設定する立ち上げモードスイッチ（立ち上げモード選択手段）を設け、これにより立ち上げモードを決定するようにしたものである。
【００３４】
そして、モードスイッチが収集モードにあるときは、電源投入やリセット時に端末からアドレスやＩＤ情報を収集してＲＡＭ２に格納し、これを用いて火災監視を行う。また、モードスイッチが非収集モードにあるときは、ＥＥＰＲＯＭ等のＲＯＭ２に記憶しているアドレスやＩＤ情報を読み出してＲＡＭ２に格納し、火災監視を行う。なお、ＲＯＭ２の記憶データがおかしかったり記憶データが無い場合には、その旨を表示すると共に端末からアドレスやＩＤ情報を収集してＲＡＭ２に格納し火災監視を行う。
【００３５】
次ぎにこの実施例の動作を図４、図５を参照して説明する。なお、この実施例の火災受信機の構成は、図１の操作部ＯＰに非収集モードと収集モードとを選択するモードスイッチが追加して設けられている点を除いて同様である。
【００３６】
火災受信機ＲＥのＭＰＵは、電源スイッチがオンされるかもしくはシステムリセットスイッチが操作されると、まずＲＡＭ１やＲＡＭ２の初期化を行うなどの初期設定を行い（Ｓ３１）、つづいて操作部ＯＰのモードスイッチが非収集モード、収集モードのいずれに設定されているか判別する（Ｓ３２）。
【００３７】
モードスイッチが収集モード側に選択されていると（Ｓ３２のＮ）、Ｓ３６〜Ｓ４０のＩＤ情報収集の動作を行う。この収集動作Ｓ３６〜Ｓ４０は前記実施例の図２のＳ５〜Ｓ８の動作と同一なので説明を省略する。
【００３８】
モードスイッチが非収集モード側に選択されていると（Ｓ３２のＹ）、ＭＰＵはＲＯＭ２の記憶内容のチェックを行う（Ｓ３３）。このチェックは、例えば、ＲＯＭ２に複数の端末のアドレス、ＩＤ情報等の端末データが存在するか、存在していれば端末データの記憶データの例えば加算値（サムチェックコード）を記憶データの記憶領域とは別の領域に記憶しておき、記憶データを加算してその加算値がサムチェックコードと一致するか否か等で行う。
【００３９】
このＲＯＭ２のチェック結果が正常であれば（Ｓ３４のＹ）、ＲＯＭ２からアドレス、ＩＤ等の端末データを読み出し、ＲＡＭ２に格納して火災監視の運用に供する（Ｓ３５）。
【００４０】
一方、ＲＯＭ２のチェック結果が異常であれば（Ｓ３４のＮ）、ＲＯＭ２の記憶内容を火災監視に使用せず、Ｓ３６に移り、Ｓ３６〜Ｓ４０の動作を行う。なお、ＲＯＭ２の異常が判別したときには、ＤＰでその旨を表示警告する。また、ＲＯＭ２を自動的にクリア（初期化）するようにしても、また、該当部分のみをクリアするようにしても良い。
【００４１】
そして、ＲＡＭ２に運用用のアドレスやＩＤが格納されたらＳ４１〜４６の火災監視処理、Ｓ５１、Ｓ５２のアドレス、ＩＤの保存処理を行う。なお、Ｓ４１〜Ｓ４６の火災監視の動作は前記図２、図３のＳ１１〜Ｓ１６と同じなので説明を省略する。また、Ｓ５１、Ｓ５２の保存処理も図３のＳ２１、Ｓ２２と同じなので説明を省略する。
【００４２】
なお、上記各実施例では複数の端末をポーリングするのに各端末をアドレスで個別に指定するようにしたが、例えば複数の端末をグループ単位で指定してポーリングするなど、他の方法で行うようにしても良い。
【００４３】
請求項１の発明では、複数の火災感知器等の火災監視用端末さらには制御用端末に機器の種別に対応したＩＤ情報を与え、火災受信機や中継器などの受信部にＩＤ情報記憶用の電気的に書き換え自在な不揮発性記憶手段、ＩＤ情報の収集手段、収集手段で収集したＩＤ情報を指示により不揮発性記憶手段に書き換え記憶させる書き換え手段を設けたので、端末のＩＤ情報を変更して受信部に記憶させるのに、工場で変更して設置現場で記憶装置の交換を行ったり、火災報知設備の設置場所に記憶手段の書込装置を持ち込んで変更作業を行う必要がなくなるとともに、変更作業にともなう人為的ミスを防止でき、さらに、不揮発性記憶手段に収集したＩＤ情報を書き換え記憶させたときに非収集モードを併せて記憶させ、受信部は非収集モードが記憶されているときは自動的に不揮発性記憶手段の記憶内容に基づいて火災監視を行うようにしたので、非収集モードの設定忘れを防止できる。
【００４５】
請求項２の発明では、複数の火災感知器等の火災監視用端末さらには制御用端末に機器の種別に対応したＩＤ情報を与え、火災受信機や中継器などの受信部にＩＤ情報記憶用の電気的に書き換え自在な不揮発性記憶手段、ＩＤ情報の収集手段、不揮発性記憶手段の端末データ（記憶内容）に基づく火災監視と収集手段により収集した端末データに基づく火災監視とのいずれかのモードを選択指示する監視指示手段を設けたので、監視指示手段を操作するだけでいずれのモードでも選択できる。
【００４６】
請求項３の発明では、請求項２に加えて、不揮発性記憶手段の端末データに基づく火災監視モードが選択指示されているとき、電源投入やリセット時に不揮発性記憶手段をチェックして異常があれば収集手段によって自動的に端末データを収集して火災監視を行うようにしたので、不揮発性記憶手段に端末データがなかったりあるいはあっても異常な場合には自動的に端末データの収集を行えるので火災監視を確実に行うことができる。
【図面の簡単な説明】
【図１】本発明の火災報知設備のブロック図。
【図２】本発明の１実施例の動作を説明するフローチャート。
【図３】図２の続きのフローチャート。
【図４】本発明の他の実施例の動作を説明するフローチャート。
【図５】図４の続きのフローチャート。
【符号の説明】
ＲＥ              火災受信機
ＭＰＵ            マイクロコンピュータ
ＲＯＭ２          電気的に書き換え自在な不揮発性記憶手段
ＤＰ              表示部
ＯＰ              操作部
Ｌ                電源兼信号線
ＳＥ１、ＳＥ２    火災監視用端末（アナログ式火災感知器）
ＴＲ３            火災監視用端末（中継器）
ＤＥ              オンオフ式火災感知器
【図１】
0003615658.tif 000002
【図２】
0003615658.tif 000003
【図３】
0003615658.tif 000004
【図４】
0003615658.tif 000005
【図５】
0003615658.tif 000006